(57)【要約】【課題】タイトルメニュー画像において、選択を受け付けているタイトルについては再生画像を表示させ、その他のタイトルについてはサムネイル画像を表示させるタイトルメニュー画像におけるチラツキを十分に抑えることができる再生装置を提供する。【解決手段】再生装置１は、タイトルメニュー画像において、ユーザによるタイトルの選択が行われてから、そのタイトルの再生画像が出力できるようになるまで要する期間、すなわち記録媒体１０に記録されているタイトルのデータの読み出しや、読み出したデータのデコード処理等にかかる期間、については、サムネイル画像の出力を継続するので、タイトルメニュー画像において、選択を受け付けているタイトルについては再生画像を表示させ、その他のタイトルについてはサムネイル画像を表示させるタイトルメニュー画像を、常に適正に出力することができる。【選択図】図５
2008204492.tif 000002
【特許請求の範囲】
【請求項１】
記録媒体に記録されているタイトルを再生する再生装置において、
記録媒体に記録されているタイトルを一覧で表示させるタイトルメニュー画像を作成するタイトルメニュー画像作成手段と、
前記タイトルメニュー画像作成手段が作成しているタイトルメニュー画像を出力するタイトルメニュー画像出力手段と、
前記タイトルメニュー画像出力手段が出力しているタイトルメニュー画像において、いずれかのタイトルの選択を受け付けるタイトル選択受付手段と、を備え、
前記タイトルメニュー画像作成手段は、前記タイトル選択受付手段が選択を受け付けているタイトルについては、当該タイトルの再生画像を表示させ、その他のタイトルについては再生画像ではなく当該タイトルのサムネイル画像を表示させる前記タイトルメニュー画像を作成する手段であり、且つ前記タイトル選択受付手段によりタイトルが選択されたとき、当該選択されたタイトルの再生画像の表示が開始できるまでの期間、各タイトルについてサムネイル画像を表示させる前記タイトルメニュー画像を作成する手段であり、
さらに、前記タイトル選択受付手段により選択されているタイトルのサムネイル画像を記憶する記憶手段を備え、
前記記憶手段は、画像メモリであり、サムネイル画像を分割して記憶する手段である、再生装置。
【請求項２】
記録媒体に記録されているタイトルを再生する再生装置において、
記録媒体に記録されているタイトルを一覧で表示させるタイトルメニュー画像を作成するタイトルメニュー画像作成手段と、
前記タイトルメニュー画像作成手段が作成しているタイトルメニュー画像を出力するタイトルメニュー画像出力手段と、
前記タイトルメニュー画像出力手段が出力しているタイトルメニュー画像において、いずれかのタイトルの選択を受け付けるタイトル選択受付手段と、を備え、
前記タイトルメニュー画像作成手段は、前記タイトル選択受付手段が選択を受け付けているタイトルについては、当該タイトルの再生画像を表示させ、その他のタイトルについては再生画像ではなく当該タイトルのサムネイル画像を表示させる前記タイトルメニュー画像を作成する手段であり、且つ前記タイトル選択受付手段によりタイトルが選択されたとき、当該選択されたタイトルの再生画像の表示が開始できるまでの期間、各タイトルについてサムネイル画像を表示させる前記タイトルメニュー画像を作成する手段である、再生装置。
【請求項３】
前記タイトル選択受付手段により選択されているタイトルのサムネイル画像を記憶する記憶手段を備え、
前記記憶手段は、画像メモリである、請求項２に記載の再生装置。
【発明の詳細な説明】
【技術分野】
【０００１】
この発明は、ハードディスクやＤＶＤ等の記録媒体に記録されているタイトルを再生する再生装置に関する。
【背景技術】
【０００２】
従来、ハードディスクやＤＶＤ等の記録媒体に記録されているタイトルを再生する再生装置があった。一般的な再生装置は、ユーザが記録媒体に記録されているタイトルの確認、および再生するタイトルの選択が容易に行えるように、当該記録媒体に記録されているタイトルを一覧で表示するタイトルメニュー画像を作成し、出力する構成を備えている。従来の再生装置は、記録媒体に記録されている各タイトルのサムネイル画像を一覧で表示させるタイトルメニュー画像を作成し、出力する構成のものや、その時点で選択されているタイトルについては、当該タイトルの再生画像（動画像）を表示させ、その他のタイトルについては再生画像ではなく当該タイトルのサムネイル画像（静止画像）を表示させるタイトルメニュー画像を作成し、出力する構成のものがある。ユーザは、タイトルメニュー画像を確認し、再生するタイトルを指定する。再生装置は、タイトルメニュー画像において、再生することが指定されたタイトルを再生する。
【０００３】
上述した、選択を受け付けているタイトルについて、当該タイトルの再生画像を表示させ、その他のタイトルについては当該タイトルのサムネイル画像を表示させるタイトルメニュー画像を作成し、出力する構成の再生装置では、タイトルメニュー画像におけるタイトルの選択に応じて、サムネイル画像から再生画像への切り換えを行っている。このため、表示装置において、静止画像から動画像に切り換わるときにチラツキが生じ、ユーザにとって見にくい画面が表示される。静止画像から動画像に切り換わるときに生じるチラツキを抑える技術としては、特許文献１、２等で提案されている。
【特許文献１】特開２００６−２３５６４０号公報
【特許文献２】特開２００６−  １１０７４号公報
【発明の開示】
【発明が解決しようとする課題】
【０００４】
しかしながら、選択を受け付けているタイトルについては、当該タイトルの再生画像を表示させ、その他のタイトルについては再生画像ではなく当該タイトルのサムネイル画像を表示させるタイトルメニュー画像を出力する構成の再生装置では、タイトルメニュー画像において、ユーザによるタイトルの選択が行われてから、そのタイトルの再生画像の表示が開始できるまでに、ある程度の時間を要する。この時間は、記録媒体に記録されているタイトル（今回選択されたタイトル）のデータの読み出しや、読み出したデータのデコード処理等にかかる時間である。したがって、この時間だけ、タイトルメニュー画像において、ユーザが選択したタイトルにかかる表示が適正に行なえず、表示装置において表示されている画面のチラツキが十分に抑えられないという問題があった。
【０００５】
この発明の目的は、タイトルメニュー画像において、選択を受け付けているタイトルについては再生画像を表示させ、その他のタイトルについてはサムネイル画像を表示させるタイトルメニュー画像におけるチラツキを十分に抑えることができる再生装置を提供することにある。
【課題を解決するための手段】
【０００６】
この発明の再生装置は、上記課題を解決するために、以下のように構成している。
【０００７】
再生装置は、タイトルメニュー画像作成手段が記録媒体に記録されているタイトルを一覧で表示させるタイトルメニュー画像を作成し、タイトルメニュー画像出力手段が前記タイトルメニュー画像作成手段で作成されたタイトルメニュー画像を出力する。ユーザは、このタイトルメニュー画像を見ることにより、記録媒体に記録されているタイトルを確認することができる。記録媒体は、ハードディスクやＤＶＤ等である。また、タイトル選択受付手段が前記タイトルメニュー画像出力手段が出力しているタイトルメニュー画像において、いずれかのタイトルの選択を受け付ける。
【０００８】
また、前記タイトルメニュー画像作成手段が作成するタイトルメニュー画像は、前記タイトル選択受付手段が選択を受け付けているタイトルについては、当該タイトルの再生画像（動画像）を表示させ、その他のタイトルについては再生画像ではなく当該タイトルのサムネイル画像（静止画像）を表示させる画像である。さらに、タイトルメニュー画像作成手段は、前記タイトル選択受付手段によりタイトルが選択されたとき、当該選択されたタイトルの再生画像の表示が開始できるまでの期間、すなわち記録媒体に記録されているタイトル（今回選択されたタイトル）のデータの読み出しや、読み出したデータのデコード処理等にかかる期間、については、各タイトルのサムネイル画像を表示させる前記タイトルメニュー画像を作成する。
【０００９】
このように、タイトルメニュー画像において、ユーザによるタイトルの選択が行われてから、ここで選択されたタイトルの再生画像を表示させられるまでの期間については、各タイトルのサムネイル画像を表示させるタイトルメニュー画像を作成して出力し、選択されたタイトルの再生画像が表示させられるようになると、選択されているタイトルについては再生画像を表示させるタイトルメニュー画像を作成し出力する。したがって、タイトルメニュー画像において、ユーザが選択したタイトルにかかる再生画像の表示が適正に行なえない期間における、表示装置の画面のチラツキが十分に抑えられる。
【００１０】
また、前記タイトル選択受付手段により選択されているタイトルのサムネイル画像を記憶する記憶手段として機能する画像メモリを設けることで、タイトルメニュー画像において、選択が解除されたタイトルの表示を再生画像からサムネイル画像に速やかに切り換えることができる。
【００１１】
また、前記記憶手段である画像メモリに、サムネイル画像を分割して記憶させる構成とすることで、当該画像メモリの記憶容量を有効に利用することができる。
【発明の効果】
【００１２】
この発明によれば、タイトルメニュー画像において、ユーザが選択したタイトルにかかる再生画像の表示が適正に行なえない期間における、表示装置の画面のチラツキが十分に抑えられる。
【発明を実施するための最良の形態】
【００１３】
以下、この発明の実施形態である再生装置について説明する。
【００１４】
図１は、この発明の実施形態である再生装置の主要部の構成を示すブロック図である。再生装置１は、制御部２と、読取部３と、デコード部４と、ＯＳＤ機能部５と、出力部６と、操作部７と、を備えている。再生装置１は、記録媒体１０に記録されているタイトルを再生する装置である。また、後述するように、記録媒体１０に記録されているタイトルを一覧で表示させるタイトルメニュー画像を作成し、出力する機能を有している。記録媒体１０は、本体に内蔵されているハードディスクであってもよいし、本体に対して着脱自在のＤＶＤやＢＤ等の光ディスクであってもよい。また、これら以外であってもよい。
【００１５】
制御部２は、本体各部の動作を制御する。読取部３は、記録媒体１０に記録されているデータを読み取り、その読取信号をデコード部４に入力する。記録媒体１０に記録されているタイトルのデータは、公知のＭＰＥＧ２等でエンコードされている。また、記録媒体１０には、記録されているタイトル毎に、そのタイトルに対して設定されているサムネイル画像（静止画像）が記録されている。デコード部４は、読取部３から入力されている読取信号から、音声データと、映像データとに分離して抽出するとともに、これらのデータをデコードして出力する。デコード部４でデコードされた映像データは、ＯＳＤ機能部５に入力される。また、デコード部４でデコードされた音声データは、出力部６に入力される。ＯＳＤ機能部５は、入力された映像データを用いて、後述するタイトルメニュー画像を作成する。ＯＳＤ機能部５は、画像メモリ５ａを有している。この画像メモリ５ａは、タイトルメニュー画像の作成にかかるワーキングエリア等として利用される。また、ＯＳＤ機能部５は、タイトルの再生時等に、入力されている映像データを処理することなく、出力する場合もある。ＯＳＤ機能部５は、タイトルメニュー画像や再生映像等を出力部６に入力する。出力部６には、図示していない表示装置や、スピーカが接続される。出力部６は、ＯＳＤ機能部５から入力されているタイトルメニュー画像や再生映像等に基づく映像信号を接続されている表示装置へ出力するとともに、デコード部４から入力されている音声データに基づく音声信号を接続されているスピーカへ出力する。出力部６は、映像信号と音声信号とを同期させて出力する。操作部７は、複数の操作キーや、図示していないリモコン装置から送信されてきた制御コードを受信するリモコン受信部を有している。操作部７は、ユーザが操作した操作キーや、リモコン受信部で受信した制御コードを制御部２に通知する。制御部２は、操作部７からの通知により、本体に対するユーザの入力操作を判断する。
【００１６】
次に、ＯＳＤ機能部５が作成するタイトルメニュー画像について説明する。ＯＳＤ機能部５が作成したタイトルメニュー画像は、出力部６から出力され、図示していない表示装置において表示される。図２は、表示装置において表示されるタイトルメニュー画像を示す図である。図２では、記録媒体１０に記録されているタイトルを６つずつ一覧表示するタイトルメニュー画像を示している。記録媒体１０に記録されている各タイトルは、予めサムネイル画像が設定されている。各タイトルのサムネイル画像は、上述したように記録媒体１０に記録されている。ユーザは、操作部７において、このタイトルメニュー画像において、表示されているタイトルの中で、いずれか１つのタイトルを選択することができる。また、選択しているタイトルの再生指示が行える。図２では、太線で示しているタイトルＣが選択されている場合を示している。各タイトルに対応する枠内には、そのタイトルにかかる画像が表示されている。具体的には、選択されていないタイトルＡ、Ｂ、Ｄ、Ｅ、Ｆは、そのタイトルについて設定されているサムネイル画像（静止画像）が縮小表示されている。また、選択されているタイトルＣは、そのタイトルの再生画像（動画像）が縮小表示されている。
【００１７】
ＯＳＤ機能部６は、作成するタイトルメニュー画像のベース画像を記憶している。このベース画像は、各タイトルのサムネイル画像、または再生画像を表示する領域が黒である画像である。この各タイトルのサムネイル画像、または再生画像を表示する領域は、縦横非が４：３である。ＯＳＤ機能部５は、記録媒体１０から読み出された各タイトルのサムネイル画像を縮小して対応する領域（上述したベース画像において黒である領域）に貼り付けている。ただし、選択されているタイトルについては、サムネイル画像ではなく、記録媒体１０から読み出している当該タイトルのデータに基づく再生画像を貼り付けている。このようにして、ＯＳＤ機能部５は、図２に示すタイトルメニュー画像を作成する。
【００１８】
なお、ＯＳＤ機能部５は、記録媒体１０に記録されているタイトルの総数が７つ以上であるときは、タイトルメニュー画像のページ切り換えにかかる入力操作が行われたときに、表示しきれなかったタイトルについてのタイトルメニュー画像を作成する。また、記録媒体１０に記録されているタイトルが５つ以下である場合や、最終ページに表示するタイトルが５つ以下である場合、これらのタイトルについてのみ、サムネイル画像、または再生画像を貼り付けたタイトルメニュー画像を作成する。
【００１９】
また、画像メモリ５ａには、タイトルメニュー画像において、再生画像を表示しているタイトル、すなわち選択されているタイトル、のサムネイル画像を退避させる記憶エリアを備えている。このサムネイル画像を退避させるエリアは、画像メモリ５ａの仕様で、例えば、サムネイル画像の大きさが１８０×１４０であっても、７２０×１４０の大きさになる（図３（Ａ）参照）。簡単に言えば、図３（Ａ）に示す空き領域が無駄に存在する。そこで、この実施形態の再生装置１では、図３（Ｂ）に示すように、サムネイル画像を１８０×３５の４つに分割することで、サムネイル画像を退避させるエリアを７２０×３５に低減している。このため、無駄に存在する空き領域が抑えられる。このサムネイル画像を細切れに分割する分割数については、画像メモリ５ａの仕様に応じて、無駄に存在する空き領域が最小になるように決めればよい。
【００２０】
次に、再生装置１におけるタイトルメニュー画像の初期作成時の処理について説明する。図４は、再生装置におけるタイトルメニュー画像の初期作成時の処理を示すフローチャートである。再生装置１は、まず読取部３において、作成するタイトルメニュー画像で表示するタイトル毎に、そのタイトルのサムネイル画像を記録媒体１０から読み出す（ｓ１）。図２に示すタイトルメニュー画像を作成する場合、ｓ１では、タイトルＡ〜Ｆの６つのタイトルについてサムネイル画像を記録媒体１０から読み出す。ｓ１で読み出された各タイトルのサムネイル画像はデコーダ４でデコードされ、ＯＳＤ機能部５に入力される。また、タイトルメニュー画像の出力時（以下、初期時と言う。）に選択されるタイトルについて、記録媒体１０からのデータの読み出しを開始する（ｓ２）。ＯＳＤ機能部５は、タイトルメニュー画像のベース画像を読み出し、初期時に選択されるタイトル以外のタイトルについて、ｓ１で読み出したサムネイル画像をベース画像の対応する位置に貼り付ける（ｓ３）。また、初期時に選択されるタイトルのサムネイル画像を、画像メモリ５ａの退避エリアに細切れに分割して記憶する（ｓ４）。ＯＳＤ機能部５は、デコーダ４から入力されているタイトル、すなわち初期時に選択されるタイトル、のデータに基づく再生画像の表示が開始できる状態になるのを待って（ｓ５）、当該タイトルの再生画像を、ｓ３で他のタイトルについてサムネイル画像を貼り付けたベース画像の対応する位置に、貼り付けたタイトルメニュー画像を作成する（ｓ６）。ｓ５での待ち時間には、記録媒体１０に記録されている初期時に選択されるタイトルのデータの読み出しや、読み出したデータのデコード処理等にかかる時間が含まれている。そして、出力部６が、ＯＳＤ機能部５で作成されているタイトルメニュー画像にかかる映像信号の出力を開始する（ｓ７）。
【００２１】
読取部３は、ｓ７でタイトルメニュー画像の出力が開始された後も、記録媒体１０からの選択されているタイトルのデータの読み出しを継続している。また、デコード部４は、読取部３が記録媒体１０から読み出しているタイトルのデータをデコードし、ＯＳＤ機能部５に入力している。ＯＳＤ機能部５は、デコード部４から入力されているデータに基づく画像、すなわちこの時点で選択されているタイトルの再生画像、ｓ３で他のタイトルについてサムネイル画像を貼り付けたベース画像の対応する位置に貼り付けている。
【００２２】
したがって、選択されているタイトルについては、そのタイトル再生画像を表示し、その他のタイトルについては、サムネイル画像を表示するタイトルメニュー画像を、出力部６から出力することができる。
【００２３】
次に、出力部６が出力しているタイトルメニュー画像において、選択されているタイトルが切り換えられたときの処理について説明する。図５は、タイトルメニュー画像で選択されているタイトルが切り換えられたときの処理を示すフローチャートである。ＯＳＤ機能部５は、これまで選択されていたタイトル（以下、選択が解除されたタイトルと言う。）のサムネイル画像を画像メモリ５ａの退避エリアから読み出す（ｓ１１）。上述したように、選択が解除されたタイトルのサムネイル画像は、画像メモリ５ａの退避エリアに細切れに分割して記憶している。ＯＳＤ機能部５は、各タイトルのサムネイル画像をベース画像の対応する位置に貼り付けたタイトルメニュー画像を作成する（ｓ１２）。すなわち、ｓ１２では、選択が解除されたタイトルについて、再生画像をサムネイル画像に置き換えたタイトルメニュー画像を作成する。このとき、他のタイトルについては、サムネイル画像が貼り付けられている。すなわち、ｓ１２で作成されるタイトルメニュー画像は、全てのタイトルがサムネイル画像である。
【００２４】
また、読取部２は、記録媒体１０からの選択が解除されたタイトルのデータの読み出しを停止し（ｓ１３）、今回選択されたタイトルの読み出しを開始する（ｓ１４）。ＯＳＤ機能部５は、デコーダ４から入力されているタイトル、すなわち今回選択されたタイトル、のデータに基づく再生画像の表示が開始できる状態になるのを待つ（ｓ１５）。ｓ１５での待ち時間には、記録媒体１０に記録されている選択されたタイトルのデータの読み出しや、読み出したデータのデコード処理等にかかる時間が含まれている。今回選択されたタイトルの再生画像の表示が開始できる状態になると、ｓ１２で作成したタイトルメニュー画像における、今回選択されたタイトルのサムネイル画像を、このタイトルの再生画像に、置き換えたタイトルメニュー画像を作成する（ｓ１６）。これにより、今回選択されたタイトルについて、再生画像が表示され、その他のタイトルについてはサムネイル画像が表示されるタイトルメニュー画像の出力が開始される。また、今回選択されたタイトルのサムネイル画像を、細切れに分割し、画像メモリ５ａの退避エリアに記憶する（ｓ１７）。
【００２５】
なお、この図５に示す処理を行っている間も、出力部６においてＯＳＤ機能部５が作成したタイトルメニュー画像の出力が行われている。
【００２６】
このように、タイトルメニュー画像において、タイトルの選択が切り換えられたとき、今回選択されたタイトルの再生画像が表示できる状態になるまで、このタイトルについてもサムネイル画像を表示したタイトルメニュー画像を出力するので、タイトルの選択切り換え時に生じる画面のチラツキが抑えられる。すなわち、タイトルメニュー画像において、ユーザが選択したタイトルにかかる再生画像の表示が適正に行なえない期間における、表示装置の画面のチラツキが十分に抑えられる。
【００２７】
なお、本願発明は、外部から入力されているタイトルを記憶媒体１０に記録する録画機能を備えた装置にも適用できる。
【００２８】
また、タイトルメニュー画像を出力しているときに、タイトルの再生が指示される、この時点で選択されているタイトルの再生を開始する。この再生処理については、公知であるので、ここでは説明を省略する。
【図面の簡単な説明】
【００２９】
【図１】この発明の実施形態である再生装置の主要部の構成を示すブロック図である。
【図２】表示装置において表示されるタイトルメニュー画像を示す図である。
【図３】画像メモリにおけるサムネイル画像の退避エリアを示す図である。
【図４】再生装置におけるタイトルメニュー画像の作成時の動作を示すフローチャートである。
【図５】タイトルメニュー画像において、選択されているタイトルが切り換えられたときの動作を示すフローチャートである。
【符号の説明】
【００３０】
１−再生装置
２−制御部
３−読取部
４−デコーダ
５−ＯＳＤ機能部
５ａ−画像メモリ
６−出力部
７−操作部
１０−記録媒体
【図１】
2008204492.tif 000003
【図２】
2008204492.tif 000004
【図３】
2008204492.tif 000005
【図４】
2008204492.tif 000006
【図５】
2008204492.tif 000007